(57)【要約】【課題】印刷する画像の欠けを生ずることなく、用紙の周縁部に画像が印刷されない部分が形成されてしまうことを、ユーザに違和感を与えることなく防止すること。【解決手段】印刷制御データ生成装置の印刷イメージ生成手段２２は、用紙の端部を余白なしで印刷する縁なし印刷において、印刷イメージとして、印刷用紙のサイズ以下の印刷イメージを生成する。印刷イメージ修正手段２３は、印刷イメージ生成手段２２により生成された印刷イメージの周囲に、その印刷イメージの周縁部に基づいてその印刷イメージの外側の印刷イメージを生成して印刷用紙のサイズより大きい印刷イメージを生成する。印刷制御データ生成手段２４は、印刷イメージ修正手段２３により生成された印刷イメージに基づいて、プリンタの印刷制御に使用する印刷制御データを生成する。【選択図】図１
2006293977.tif 000002
【特許請求の範囲】
【請求項１】
用紙の端部を余白なしで印刷する縁なし印刷において、印刷イメージとして、印刷用紙
のサイズ以下の印刷イメージを生成する印刷イメージ生成手段と、
上記印刷イメージ生成手段により生成された印刷イメージの周囲に、その印刷イメージ
の周縁部に基づいてその印刷イメージの外側の印刷イメージを生成して印刷用紙のサイズ
より大きい印刷イメージを生成する印刷イメージ修正手段と、
上記印刷イメージ修正手段により生成された印刷イメージに基づいて、プリンタの印刷
制御に使用する印刷制御データを生成する印刷制御データ生成手段と、
を有することを特徴とする印刷制御データ生成装置。
【請求項２】
前記印刷イメージ生成手段は、縁あり印刷の場合と同じサイズの印刷イメージを生成す
ることを特徴とする請求項１記載の印刷制御データ生成装置。
【請求項３】
前記印刷イメージ修正手段は、前記印刷イメージ生成手段により生成された印刷イメー
ジの周縁部と同じイメージを、その印刷イメージの周囲に外挿することで、印刷用紙のサ
イズより大きい印刷イメージを生成することを特徴とする請求項１または２記載の印刷制
御データ生成装置。
【請求項４】
前記印刷イメージ修正手段は、前記印刷イメージ生成手段により生成された印刷イメー
ジの周縁部のパターンに応じてその印刷イメージの周縁部を外挿することで、印刷用紙の
サイズより大きい印刷イメージを生成することを特徴とする請求項１または２記載の印刷
制御データ生成装置。
【請求項５】
請求項１から４の中のいずれか１項記載の印刷制御データ生成装置と、
上記印刷制御データ生成装置により生成された印刷制御データに基づいて、用紙に印刷
イメージを印刷するプリンタと、
を有することを特徴とする印刷システム。
【請求項６】
請求項１から４の中のいずれか１項記載の印刷制御データ生成装置と、
上記印刷制御データ生成装置により生成された印刷制御データに基づいて、用紙に印刷
イメージを印刷する印刷手段と、
を有することを特徴とするプリンタ。
【請求項７】
用紙の端部を余白なしで印刷する縁なし印刷において生成された、印刷用紙のサイズ以
下の印刷イメージに対応する印刷制御データから、印刷用紙のサイズより大きい印刷イメ
ージに相当する印刷制御データを生成する印刷制御データ生成手段と、
上記印刷制御データ生成手段により生成された印刷制御データに基づいて、印刷用紙の
サイズより大きい印刷イメージを印刷する印刷手段と、
を有することを特徴とするプリンタ。
【請求項８】
用紙の端部を余白なしで印刷する縁なし印刷において、印刷イメージとして、印刷用紙
のサイズ以下の印刷イメージを生成するステップと、
生成した印刷用紙のサイズ以下の印刷イメージの周縁部に基づいてその印刷イメージの
外側の印刷イメージを生成して、印刷用紙のサイズより大きい印刷イメージを生成するス
テップと、
印刷用紙のサイズより大きい印刷イメージに基づいて、プリンタの印刷制御に使用する
印刷制御データを生成するステップと、
を有することを特徴とする印刷制御データ生成方法。
【発明の詳細な説明】
【技術分野】
【０００１】
本発明は、印刷制御データ生成装置、印刷システム、プリンタおよび印刷制御データ生
成方法に関する。
【背景技術】
【０００２】
特許文献１は、プリンタに、印刷データを供給する情報処理装置を開示する。この情報
処理装置は、プリンタに縁なし印刷を行わせる場合、印刷対象の画像の周囲４辺に、所定
のサイズおよび色（たとえば黒色）の縁画像を付加し、プリンタにセットされた記録用紙
に対する印刷開始ポジションを、その記録用紙のトップポジションから縁画像のサイズに
応じた距離だけその記録用紙の外側に離れた位置に決定し、縁画像が付加された印刷対象
の画像と、決定された印刷開始ポジションとに基づいて、プリンタに転送するための印刷
データを生成する。
【０００３】
特許文献１の情報処理装置のように、印刷対象の画像の周囲４辺に、所定のサイズおよ
び色（たとえば黒色）の縁画像を付加し、この付加後の画像をプリンタに印刷させること
で、縁なし印刷において、印刷する画像の欠けを生ずることなく、用紙の周縁部に画像が
印刷されない部分が形成されてしまうことを防止することができる。
【０００４】
【特許文献１】特開２００４−１５７６１２号公報（要約、発明の詳細な説明、図面など）
【発明の開示】
【発明が解決しようとする課題】
【０００５】
しかしながら、特許文献１の情報処理装置を用いた場合、用紙の搬送がずれたりすると
、用紙の周縁部には、画像の周囲４辺に付加された縁画像が印刷される。追加された縁画
像は、たとえば黒色といった単色の画像であり、印刷する画像とは関係の無い画像である
。このため、印刷する画像と縁画像との境界で画像が不連続となり、ユーザは違和感を覚
えてしまう。
【０００６】
本発明は、印刷する画像の欠けを生ずることなく、用紙の周縁部に画像が印刷されない
部分が形成されてしまうことを、ユーザに違和感を与えることなく防止する印刷制御デー
タ生成装置、印刷システム、プリンタおよび印刷制御データ生成方法を得ることを目的と
する。
【課題を解決するための手段】
【０００７】
本発明に係る印刷制御データ生成装置は、用紙の端部を余白なしで印刷する縁なし印刷
において、印刷イメージとして、印刷用紙のサイズ以下の印刷イメージを生成する印刷イ
メージ生成手段と、印刷イメージ生成手段により生成された印刷イメージの周囲に、その
印刷イメージの周縁部に基づいてその印刷イメージの外側の印刷イメージを生成して印刷
用紙のサイズより大きい印刷イメージを生成する印刷イメージ修正手段と、印刷イメージ
修正手段により生成された印刷イメージに基づいて、プリンタの印刷制御に使用する印刷
制御データを生成する印刷制御データ生成手段と、を有するものである。
【０００８】
この構成を採用すれば、印刷用紙のサイズ以下の印刷イメージの周囲に、その印刷イメ
ージの周縁部に基づいて生成したイメージが追加される。したがって、印刷がずれてしま
ったとしても、用紙の周縁部には、その印刷する画像に連続する画像が印刷される。その
結果、ユーザに違和感を与えることなく、印刷する画像の欠けを生ずることなく、用紙の
周縁部に画像が印刷されない部分が形成されてしまうことを防止することができる。
【０００９】
本発明に係る印刷制御データ生成装置は、上述した発明の構成に加えて、印刷イメージ
生成手段が、縁あり印刷の場合と同じサイズの印刷イメージを生成するものである。
【００１０】
この構成を採用すれば、印刷イメージ生成手段は、縁あり印刷と縁なし印刷とを考慮せ
ずに同一サイズの印刷イメージを生成すればよく、印刷イメージ生成手段を簡単に実現す
ることができる。
【００１１】
本発明に係る印刷制御データ生成装置は、上述した各発明の構成に加えて、印刷イメー
ジ修正手段が、印刷イメージ生成手段により生成された印刷イメージの周縁部と同じイメ
ージを、その印刷イメージの周囲に外挿することで、印刷用紙のサイズより大きい印刷イ
メージを生成するものである。
【００１２】
この構成を採用すれば、縁なし印刷に使用する、印刷用紙のサイズより大きい印刷イメ
ージを簡単な演算で生成することができる。
【００１３】
本発明に係る印刷制御データ生成装置は、上述した各発明の構成に加えて、印刷イメー
ジ修正手段が、印刷イメージ生成手段により生成された印刷イメージの周縁部のパターン
に応じてその印刷イメージの周縁部を外挿することで、印刷用紙のサイズより大きい印刷
イメージを生成するものである。
【００１４】
この構成を採用すれば、縁なし印刷に使用する、印刷する用紙のサイズより大きい印刷
イメージを、より違和感なく生成することができる。
【００１５】
本発明に係る印刷システムは、上述した各発明に係る印刷制御データ生成装置と、印刷
制御データ生成装置により生成された印刷制御データに基づいて、用紙に印刷イメージを
印刷するプリンタと、を有するものである。
【００１６】
この構成を採用すれば、印刷用紙のサイズ以下の印刷イメージの周囲に、その印刷イメ
ージの周縁部に基づいて生成したイメージが追加される。したがって、印刷がずれてしま
ったとしても、用紙の周縁部には、その印刷する画像に連続する画像が印刷される。その
結果、ユーザに違和感を与えることなく、印刷する画像の欠けを生ずることなく、用紙の
周縁部に画像が印刷されない部分が形成されてしまうことを防止することができる。
【００１７】
本発明に係るプリンタは、上述した各発明に係る印刷制御データ生成装置と、印刷制御
データ生成装置により生成された印刷制御データに基づいて、用紙に印刷イメージを印刷
する印刷手段と、を有するものである。
【００１８】
この構成を採用すれば、印刷用紙のサイズ以下の印刷イメージの周囲に、その印刷イメ
ージの周縁部に基づいて生成したイメージが追加される。したがって、印刷がずれてしま
ったとしても、用紙の周縁部には、その印刷する画像に連続する画像が印刷される。その
結果、ユーザに違和感を与えることなく、印刷する画像の欠けを生ずることなく、用紙の
周縁部に画像が印刷されない部分が形成されてしまうことを防止することができる。
【００１９】
本発明に係る他のプリンタは、用紙の端部を余白なしで印刷する縁なし印刷において生
成された、印刷用紙のサイズ以下の印刷イメージに対応する印刷制御データから、印刷用
紙のサイズより大きい印刷イメージに相当する印刷制御データを生成する印刷制御データ
生成手段と、印刷制御データ生成手段により生成された印刷制御データに基づいて、印刷
用紙のサイズより大きい印刷イメージを印刷する印刷手段と、を有するものである。
【００２０】
この構成を採用すれば、印刷用紙のサイズ以下の印刷イメージに対応する印刷制御デー
タから、印刷用紙のサイズより大きい印刷イメージに相当する印刷制御データが生成され
る。したがって、印刷がずれてしまったとしても、用紙の周縁部には、その印刷する画像
に連続する画像が印刷される。その結果、ユーザに違和感を与えることなく、印刷する画
像の欠けを生ずることなく、用紙の周縁部に画像が印刷されない部分が形成されてしまう
ことを防止することができる。
【００２１】
本発明に係る印刷制御データ生成方法は、用紙の端部を余白なしで印刷する縁なし印刷
において、印刷イメージとして、印刷用紙のサイズ以下の印刷イメージを生成するステッ
プと、生成した印刷用紙のサイズ以下の印刷イメージの周縁部に基づいてその印刷イメー
ジの外側の印刷イメージを生成して、印刷用紙のサイズより大きい印刷イメージを生成す
るステップと、印刷用紙のサイズより大きい印刷イメージに基づいて、プリンタの印刷制
御に使用する印刷制御データを生成するステップと、を有するものである。
【００２２】
この方法を採用すれば、印刷用紙のサイズ以下の印刷イメージの周囲に、その印刷イメ
ージの周縁部に基づいて生成したイメージが追加される。したがって、印刷がずれてしま
ったとしても、用紙の周縁部には、その印刷する画像に連続する画像が印刷される。その
結果、ユーザに違和感を与えることなく、印刷する画像の欠けを生ずることなく、用紙の
周縁部に画像が印刷されない部分が形成されてしまうことを防止することができる。
【発明を実施するための最良の形態】
【００２３】
以下、本発明の実施の形態に係る印刷制御データ生成装置、印刷システム、プリンタお
よび印刷制御データ生成方法を、図面に基づいて説明する。印刷システムは、コンピュー
タとプリンタとで構成される場合を例として説明する。印刷制御データ生成装置は、コン
ピュータの一部として説明する。印刷制御データ生成方法は、コンピュータの動作の一部
として説明する。
【００２４】
実施の形態１．
図１は、実施の形態１に係る印刷システムを示すブロック図である。実施の形態１に係
る印刷システムは、印刷制御データ生成装置としてのコンピュータ１と、プリンタ２と、
これらを接続するケーブル３と、を有する。なお、コンピュータ１とプリンタ２とは、無
線通信により接続されていてもよい。
【００２５】
プリンタ２は、たとえばＵＳＢ（Ｕｎｉｖｅｒｓａｌ  Ｓｅｒｉａｌ  Ｂｕｓ）、パラ
レルインタフェースなどといった通信Ｉ／Ｆ（ＩｎｔｅｒＦａｃｅ）１１と、通信バッフ
ァ１２と、印刷手段としての制御部１３および印刷機構部１４と、を有する。
【００２６】
プリンタ２の通信Ｉ／Ｆ１１には、ケーブル３が接続される。通信Ｉ／Ｆ１１は、ケー
ブル３を介してコンピュータ１から受信したデータを、通信バッファ１２に保存する。
【００２７】
コンピュータ１がプリンタ２へ送信するデータとしては、たとえば所定の用紙に画像を
印刷するための印刷制御データがある。印刷制御データには、プリンタ２が処理するコマ
ンドやデータが、その処理順に並べて記述される。このような印刷制御データの記述に使
用される言語としては、たとえば、ＥＳＣ／Ｐ、ＥＳＣ／Ｐａｇｅ、ＰｏｓｔＳｃｒｉｐ
ｔ、ＨＰ−ＰＣＬ、ＬＩＰＳ、ＰＲＥＳＣＲＩＢＥなどのページ記述言語がある。
【００２８】
制御部１３は、通信バッファ１２に保存された受信データを取得し、その取得したデー
タに応じた制御を実行する。制御部１３は、通信バッファ１２に印刷制御データが保存さ
れている場合、その印刷制御データに基づいて印刷機構部１４を制御する。
【００２９】
印刷機構部１４は、図示外の用紙トレイに載置された用紙を、図示外の排紙トレイまで
搬送する搬送機構と、その用紙の搬送経路の途中において用紙にインクあるいはトナーを
付着する印字機構と、を有する。以下、この用紙にインクあるいはトナーが付着される位
置を、印刷位置とよぶ。搬送機構により搬送することができる用紙の最大のサイズは、プ
リンタ２毎に決まっており、たとえば、家庭向けのプリンタ２では、搬送可能な用紙の最
大サイズがＡ４サイズであるものが一般的である。
【００３０】
図２は、図１中のコンピュータ１のハードウェア構成を示すブロック図である。コンピ
ュータ１は、中央処理装置（ＣＰＵ：Ｃｅｎｔｒａｌ  Ｐｒｏｃｅｓｓｉｎｇ  Ｕｎｉｔ
）３１と、ＲＡＭ（Ｒａｎｄｏｍ  Ａｃｃｅｓｓ  Ｍｅｍｏｒｙ）３２と、記憶デバイス
３３と、入出力ポート３４と、これらを接続するシステムバス３５と、を有する。入出力
ポート３４には、モニタ３６と、キーボード３７と、たとえばＵＳＢ（Ｕｎｉｖｅｒｓａ
ｌ  Ｓｅｒｉａｌ  Ｂｕｓ）、パラレルインタフェースなどといった通信Ｉ／Ｆ３８と、
が接続される。
【００３１】
コンピュータ１の通信Ｉ／Ｆ３８には、ケーブル３が接続される。通信Ｉ／Ｆ３８は、
ケーブル３を介してプリンタ２の通信Ｉ／Ｆ１１との間で通信データを送受する。
【００３２】
記憶デバイス３３は、半導体メモリ、ハードディスクドライブなどで構成されるもので
ある。記憶デバイス３３は、複数の画像ファイル４１と、画像印刷プログラム４２と、プ
リンタドライバプログラム４３と、を記憶する。
【００３３】
画像ファイル４１は、画像データを有するファイルである。画像データを有するファイ
ルとしては、たとえば図示外のＤＳＣ（Ｄｉｇｉｔａｌ  Ｓｔｉｌｌ  Ｃａｍｅｒａ）に
より撮像された複数のＥＸＩＦ（Ｅｘｃｈａｎｇｅａｂｌｅ  Ｉｍａｇｅ  Ｆｉｌｅ  Ｆ
ｏｒｍａｔ）フォーマットの画像ファイル４１がある。
【００３４】
中央処理装置３１は、記憶デバイス３３に記憶されるプログラムをＲＡＭ３２に読み込
んで実行する。中央処理装置３１が画像印刷プログラム４２を実行することで、図１に示
すように、画像印刷部２１が実現される。中央処理装置３１がプリンタドライバプログラ
ム４３を実行することで、印刷イメージ生成手段としての印刷イメージ生成部２２、印刷
イメージ修正手段としての印刷イメージ修正部２３、および印刷制御データ生成手段とし
ての印刷制御データ生成部２４を有するプリンタドライバ部２５が実現される。なお、画
像印刷プログラム４２は、コンピュータ１のＯＳ（オペレーティングシステム）上で実行
されるアプリケーションプログラムの一種であってもよい。
【００３５】
なお、画像印刷プログラム４２やプリンタドライバプログラム４３は、コンピュータ１
の出荷時に記憶デバイス３３に記憶されていても、コンピュータ１の出荷後に記憶デバイ
ス３３に記憶されてもよい。これらのプログラム４２，４３をコンピュータ１の出荷後に
記憶デバイス３３に記憶する場合、これらのプログラム４２，４３は、たとえばＣＤ−Ｒ
ＯＭ（Ｃｏｍｐａｃｔ  Ｄｉｓｃ  Ｒｅａｄ  Ｏｎｌｙ  Ｍｅｍｏｒｙ）などのコンピュ
ータ読み取り可能な記録媒体に記憶されているものをコンピュータ１が読み取ることで記
憶されるようにしても、サーバに記憶されているものをたとえばインターネットなどの伝
送媒体を通じてコンピュータ１がダウンロードすることで記憶されるようにしてもよい。
【００３６】
画像印刷部２１は、モニタ３６およびキーボード３７により実現されるＧＵＩ（Ｇｒａ
ｐｈｉｃａｌ  Ｕｓｅｒ  Ｉｎｔｅｒｆａｃｅ）に従って、印刷する画像（画像ファイル
４１）を選択する。また、画像印刷部２１は、印刷条件の設定画面をモニタ３６に表示し
、その表示において選択された印刷条件の情報を、印刷イメージ生成部に供給する。
【００３７】
図３は、図１中のモニタ３６に表示される印刷条件の設定画面の一例を示す図である。
この印刷条件の設定画面には、選択された用紙サイズを表示するボックス５１と、縁なし
印刷をする場合にチェックされるチェックボックス５２と、が表示されている。この場合
、ユーザは、キーボード３７などを使用してこれらのボックス５１，５２を操作すること
で、印刷する用紙のサイズと、用紙に縁なしで印刷するか否かを選択することができる。
【００３８】
プリンタドライバ部２５は、画像ファイル４１の画像データから印刷イメージを生成し
、印刷イメージに基づいて、プリンタ２が印刷に使用する印刷制御データを生成する。プ
リンタドライバ部２５の動作モードには、縁なし印刷モードと、縁あり印刷モードとがあ
る。縁なし印刷モードは、画像を用紙に縁なしで印刷するときの動作モードである。縁あ
り印刷モードは、画像を用紙に縁ありで印刷するときの動作モードである。縁あり印刷モ
ードは、通常の印刷モードである。
【００３９】
プリンタドライバ部２５において、印刷イメージ生成部２２は、画像印刷部２１により
選択された画像を印刷するための印刷イメージを（指定された印刷条件で）生成する。印
刷イメージは、印刷する用紙毎に生成される。
【００４０】
なお、印刷イメージ生成部２２は、プリンタ２による印刷をするために設定する必要か
ある各種のパラメータ情報を有する。このようなパラメータ情報としては、たとえば、印
刷用紙の種類と印刷イメージのサイズとの対応関係などの情報である。
【００４１】
図４は、たとえばＡ４サイズの用紙と、２つの印刷範囲との関係を示す説明図である。
図４において、用紙のサイズは、実線で示される。プリンタ２は、この印刷範囲において
トナーあるいはインクを用紙に付着させようと動作する。
【００４２】
Ａ４サイズの用紙に縁ありで印刷する場合、縁あり印刷における印刷範囲は、図４にお
いて一点鎖線で示すように、用紙のサイズより一回り小さく設定される。
【００４３】
また、Ａ４サイズの用紙に縁なしで印刷する場合、この縁なし印刷における印刷範囲は
、図４において二点鎖線で示すように、用紙のサイズより一回り大きく設定される。プリ
ンタ２の用紙の送りにより印刷位置における用紙の位置が最大で３ｍｍ程度ずれるものと
想定した場合、用紙の各端辺から印刷範囲の各端辺までの間隔として、３ｍｍ以上のマー
ジンを確保する。
【００４４】
なお、この実施の形態１では、Ａ４サイズの用紙に縁ありで印刷する場合、その印刷範
囲（図４の一点鎖線枠）と同じサイズの印刷イメージを生成し、Ａ４サイズの用紙に縁な
しで印刷する場合、Ａ４の用紙のサイズ（図４の実線枠）と同じサイズの印刷イメージを
生成する。
【００４５】
印刷イメージ修正部２３は、縁なし印刷モードにおいて、プリンタドライバ部２５に供
給される印刷イメージを修正する。印刷イメージ修正部２３は、プリンタドライバ部２５
に供給される印刷イメージの周囲を後述する補完データで外挿し、Ａ４サイズの用紙に縁
なしで印刷する場合の印刷範囲のサイズ（図４の二点鎖線枠）の印刷イメージを、修正し
た印刷イメージとして生成する。
【００４６】
印刷制御データ生成部２４は、印刷イメージに基づいて印刷制御データを生成し、通信
Ｉ／Ｆ３８へ出力する。
【００４７】
次に、上記印刷システムの動作を説明する。以下の説明では、記憶デバイス３３に記憶
されている画像を、Ａ４サイズの用紙に縁なしで印刷する印刷処理を例として説明する。
【００４８】
コンピュータ１の画像印刷部２１は、記憶デバイス３３から画像ファイル４１を読み込
み、その画像ファイル４１の画像データによる画像をモニタ３６に表示させる。なお、画
像印刷部２１は、たとえばコンピュータ１にＤＳＣを接続し、このＤＳＣに記憶される画
像ファイル４１の画像データを読み込み、モニタ３６にその画像データに基づく画像を表
示させるようにしてもよい。
【００４９】
モニタ３６に画像が表示されている状態において、ユーザは、キーボード３７を操作す
る。キーボード３７は、ユーザ操作に応じた入力データを出力する。画像印刷部２１は、
画像の選択操作の入力データに基づいて、モニタ３６に表示している画像の中から、印刷
する画像を選択する。
【００５０】
印刷する画像を選択が選択されると、印刷イメージ生成部２２は、印刷条件を選択する
ためのたとえば図３に示す設定画面をモニタ３６に表示させる。
【００５１】
たとえば、図３に示す印刷条件の設定画面がモニタ３６に表示されている状態で、ユー
ザがキーボード３７を操作すると、印刷イメージ生成部２２は、その操作に応じた印刷条
件を選択する。Ａ４サイズの用紙に縁なしで印刷する場合、印刷イメージ生成部２２は、
Ａ４でかつ縁なし印刷の場合の印刷イメージのサイズを特定する。用紙としてＡ４が選択
され、且つ、縁なし印刷要が選択された場合、印刷イメージ生成部２２は、図４に実線と
して示すＡ４の用紙のサイズと同じサイズを、印刷イメージのサイズとする。
【００５２】
印刷イメージ生成部２２は、画像印刷部２１により選択された画像に対応する画像ファ
イル４１の画像データを読み込み、その画像データから、その印刷イメージのサイズにて
印刷する印刷イメージを生成する。
【００５３】
図５は、印刷される画像と、その画像に基づいて生成される各種の印刷イメージとの対
応関係を示す図である。図５（Ａ）は、印刷対象の画像であり、図５（Ｂ）は、Ａ４サイ
ズの用紙に縁なしで印刷する場合に印刷イメージ生成部２２により生成される印刷イメー
ジであり、図５（Ｃ）は、Ａ４サイズの用紙に縁なしで印刷する場合に印刷イメージ修正
部２３により修正される印刷イメージである。また、図５（Ｄ）は、Ａ４サイズの用紙に
縁ありで印刷する場合に印刷イメージ生成部２２により生成される印刷イメージである。
なお、図５（Ｃ）および図５（Ｄ）において、用紙のサイズを点線枠として示す。
【００５４】
図５（Ａ）の画像を縁なしで印刷する場合、印刷イメージ生成部２２は、用紙サイズと
同一サイズの印刷イメージを生成する（図５（Ｂ）参照）。そして、印刷イメージ修正部
２３は、印刷イメージ生成部２２により生成された印刷イメージを修正する。
【００５５】
図６は、印刷イメージ修正部２３による印刷イメージ処理を説明するための図である。
図６（Ａ）は、縁なし印刷時に印刷イメージ生成部２２が生成する印刷イメージと、その
印刷イメージに基づく印刷イメージ修正部２３の処理を説明するための図である。図６（
Ｂ）は、縁なし印刷時に印刷イメージ修正部２３が最終的に生成する印刷イメージを示す
図である。
【００５６】
印刷イメージ修正部２３は、まず、図６（Ａ）に示すように、供給された印刷イメージ
から、その上下左右の縁の各１本のドット列を抽出する。印刷イメージ修正部２３は、図
６（Ｂ）に示すように、抽出した各ドット列と同一の画素値を有するドット列を印刷イメ
ージの外周に追加する。
【００５７】
印刷イメージの４辺にドット列を追加した後、印刷イメージ修正部２３は、印刷イメー
ジの輪郭を用紙と同じ四角形の形状にするために、上下に追加した各ドット列の左右端の
ドットと同一画素値のドットをその左右へ追加し、左右に追加した各ドット列の上下端の
ドットと同一画素値のドットをその上下へ追加する。
【００５８】
これにより、Ａ４サイズの用紙に縁なしで印刷する場合の印刷範囲（図４の外側の点線
枠）と同じサイズの印刷イメージが生成される。この印刷イメージのサイズは、用紙のサ
イズより縦横それぞれ所定ドット数だけ大きい。
【００５９】
図６の例では、供給された印刷イメージの周囲に２あるいは３ドット分のドット列を追
加している。Ａ４サイズの用紙に縁なしで印刷する場合、実際には、用紙サイズと、その
印刷範囲のサイズとは、印刷位置における用紙の供給位置のずれを考慮して、各縁におい
て約３ｍｍ程度の差が設けられる。この場合、印刷イメージ修正部２３は、各縁に、４７
（≒３ｍｍ÷２５．４ｍｍ／ｉｎｃｈ×４００ｄｐｉ）本程度のドット列を追加する。
【００６０】
なお、印刷イメージ修正部２３は、この他にもたとえば、供給された印刷イメージの上
下に上下の縁のドット列を追加した後、この上下を追加した後の左右の縁のドット列を左
右に追加することで、Ａ４サイズの用紙に縁なしで印刷する印刷イメージを生成するよう
にしてもよい。さらに他にもたとえば、印刷イメージ修正部２３は、供給された印刷イメ
ージの左右に左右の縁のドット列を追加した後、この左右を追加した後の上下の縁のドッ
ト列を上下に追加することで、Ａ４サイズの用紙に縁なしで印刷する印刷イメージを生成
するようにしてもよい。
【００６１】
印刷イメージ修正部２３は、修正した印刷イメージを、印刷制御データ生成部２４へ供
給する。
【００６２】
なお、Ａ４サイズの用紙に縁ありで印刷する場合、プリンタドライバ部２５は、縁あり
印刷モードで動作する。このとき、印刷イメージ生成部２２が生成した印刷イメージは、
直接、印刷制御データ生成部２４へ供給される。印刷制御データ生成部２４へ供給される
印刷イメージのサイズは、用紙のサイズより一回り小さいものとなる。
【００６３】
印刷イメージ生成部２２または印刷イメージ修正部２３から印刷イメージが供給される
と、印刷制御データ生成部２４は、印刷制御データの生成処理を開始する。印刷制御デー
タ生成部２４は、供給された印刷イメージの色成分を、プリンタ２が印刷可能なインクあ
るいはトナーの色成分へ変換する色変換処理と、各インク色あるいは各トナー色のイメー
ジを、印刷するドット単位の印字有無データへ変換するハーフトーン処理と、ドット単位
の印字有無データを、プリンタ２が印刷する順番に並べ替えるインターレース処理とを実
行し、印刷制御データを生成する。印刷制御データ生成部２４は、生成した印刷制御デー
タを通信Ｉ／Ｆ３８へ供給する。
【００６４】
コンピュータ１の通信Ｉ／Ｆ３８は、供給された印刷制御データを、ケーブル３を介し
て、プリンタ２の通信Ｉ／Ｆ１１へ送信する。プリンタ２の通信Ｉ／Ｆ１１は、受信した
印刷制御データを通信バッファ１２に保存する。
【００６５】
通信バッファ１２に印刷制御データが保存されると、プリンタ２の制御部１３は、この
保存されている印刷制御データを読み込み、印刷制御データに基づく印刷処理を開始する
。印刷機構部１４は、この制御部１３の制御に基づいて、Ａ４の用紙を印刷位置へ搬送し
、その印刷位置において用紙にインクあるいはトナーを付着させる。縁なし印刷の場合、
印刷機構部１４は、印刷制御データに従って、Ａ４の用紙のサイズより一回り大きい範囲
にて、用紙に対するインクあるいはトナーの付着を実行する。その結果、印刷機構部１４
によりプリンタ２の排紙トレイに排出されるＡ４の用紙には、コンピュータ１の画像印刷
部２１が選択した画像が、縁なしで全面に印刷される。
【００６６】
図７は、この実施の形態１による印刷システムにおいて縁なし印刷された用紙を示す図
である。図７（Ａ）は、用紙ずれがない場合のものであり、図７（Ｂ）は、用紙が印刷イ
メージに対して左へずれた場合のものである。
【００６７】
図７（Ａ）に示すように、この実施の形態１による印刷システムにおいて縁なし印刷を
する場合、印刷イメージ生成部２２は、選択した用紙と同一サイズの印刷イメージを生成
する。したがって、印刷イメージ生成部２２が、用紙サイズより一回り大きい印刷イメー
ジを生成する場合と同様に、印刷する画像の周縁部が用紙に印刷されないことを防止する
ことができるとともに、印刷する画像の欠けを防止することができる。
【００６８】
さらに、この実施の形態１による印刷システムにおいて縁なし印刷をする場合、プリン
タドライバ部２５の印刷イメージ修正部２３は、印刷イメージ生成部２２が生成した印刷
イメージの周縁のドット列を、その印刷イメージの周囲に外挿し、プリンタ２はその外挿
された印刷イメージに基づいて用紙へのインクあるいはトナーの付着を行う。
【００６９】
したがって、図７（Ｂ）に示すように、用紙の搬送ずれなどが生じた場合であっても、
用紙の周縁部には、印刷する画像に連続した画像が印刷される。このように外挿された部
分は、多くとも数ミリメートルであり、しかも、用紙の周縁部であるため、視認されにく
い。
【００７０】
しかも、従来のように印刷イメージ生成部２２が生成した印刷イメージの周囲に、所定
の枠画像を追加した場合のように、印刷する画像とは関係のない枠が印刷されてしまうこ
とはない。
【００７１】
以上のように、この実施の形態１によれば、印刷がずれてしまったとしても、画像が欠
けることなく、用紙の周縁部にはその印刷する画像と連続する画像が印刷されるので、ユ
ーザに違和感を与えずに済む。
【００７２】
また、この実施の形態１によれば、印刷イメージ修正部２３は、印刷イメージ生成部２
２により生成された印刷イメージの周縁のドット列をその周囲にコピーする。これにより
、簡単に、縁なし印刷に使用する、印刷する用紙のサイズより大きい印刷イメージを生成
することができる。
【００７３】
なお、この実施の形態１では、印刷イメージ生成部２２は、縁なし印刷をする場合には
、用紙のサイズと同じサイズの印刷イメージを生成している。この他にもたとえば、印刷
イメージ生成部２２は、縁なし印刷をする場合において、用紙のサイズより小さいサイズ
の印刷イメージを生成するようにしてもよい。この変形例の場合、印刷イメージ修正部２
３は、この用紙のサイズより小さいサイズの印刷イメージの周囲に、その印刷イメージの
周縁部のドット列を外挿し、縁なし印刷時の印刷範囲のサイズと同じサイズの印刷イメー
ジを生成すればよい。
【００７４】
特に、縁なし印刷をする場合において、印刷イメージ生成部２２は、縁あり印刷の場合
と同じサイズの印刷イメージを生成するようにするとよい。この場合、印刷イメージ生成
部２２は、縁なし印刷の場合および縁あり印刷の場合のいずれでも同じ処理にて画像ファ
イル４１から印刷イメージを生成することができる。その結果、画像印刷プログラム４２
の作成が容易となる。
【００７５】
実施の形態２．
本発明の実施の形態２に係る印刷システムは、縁なし印刷の場合に印刷イメージ生成部
２２により生成される印刷イメージのサイズを、縁あり印刷の場合と同一にしたものであ
る。
【００７６】
図８は、実施の形態２に係る印刷システムを示すブロック図である。
【００７７】
実施の形態２に係る印刷システムにおいて、コンピュータ１には、中央処理装置３１が
プリンタドライバプログラム４３を実行することで、印刷イメージ修正手段としての印刷
イメージ修正部６１、および印刷制御データ生成手段としての印刷制御データ生成部２４
を有する、プリンタドライバ部２５が実現される。
【００７８】
この実施の形態２では、印刷イメージ生成部２２は、縁あり印刷、縁なし印刷にかかわ
らずに、用紙のサイズ毎に、印刷条件で選択された用紙のサイズより一回り小さい同一の
サイズの印刷イメージを生成する。
【００７９】
印刷イメージ修正部６１は、縁なし印刷モードにおいて、印刷イメージを修正する。印
刷イメージ修正部６１は、印刷イメージの周囲を後述する補完データで外挿し、Ａ４サイ
ズの用紙に縁なしで印刷する場合の印刷範囲のサイズ（図４の二点鎖線枠）の印刷イメー
ジを、修正した印刷イメージとして生成する。
【００８０】
実施の形態２に係る印刷システムにおいて、上述した構成以外の印刷システムの構成要
素は、実施の形態１の同名の構成要素と同じ機能を有するものであり、実施の形態１と同
じ符号を付してその説明を省略する。
【００８１】
次に、上記印刷システムの動作を説明する。以下の説明では、記憶デバイス３３に記憶
されている画像を、Ａ４サイズの用紙に縁なしで印刷する印刷処理を例として説明する。
【００８２】
この実施の形態２では、コンピュータ１の画像印刷部２１により指定された、印刷する
画像および印刷条件に基づき、印刷イメージ生成部２２は、印刷イメージを生成する。
【００８３】
図９は、印刷される画像と、その画像に基づいて生成される各種の印刷イメージとの対
応関係を示す図である。図９（Ａ）は、印刷される画像であり、図９（Ｂ）は、印刷イメ
ージ生成部２２により生成される印刷イメージであり、図９（Ｃ）は、Ａ４サイズの用紙
に縁なしで印刷する場合に印刷イメージ修正部２３により修正される印刷イメージである
。なお、図９（Ｂ）および図９（Ｃ）において、用紙のサイズを点線枠として示す。
【００８４】
図９（Ｂ）に示すように、印刷イメージ生成部２２は、縁あり印刷、縁なし印刷にかか
わらずに、印刷条件で選択されたＡ４の用紙のサイズより一回り小さい同一サイズの印刷
イメージを生成する。
【００８５】
印刷イメージ修正部６１は、縁なし印刷の場合、印刷イメージ生成部２２により生成さ
れた印刷イメージを修正する。印刷イメージ修正部６１は、具体的にはたとえば、供給さ
れた印刷イメージから、その上下左右の縁の複数列のドットパターンを抽出し、その抽出
したドットパターンと所定のパターンとを比較し、その比較結果に応じて生成した所定の
パターンのイメージを、その印刷イメージの周囲に外挿する。
【００８６】
図１０は、印刷イメージ修正部６１による印刷イメージ処理を説明するための図である
。図１０（Ａ）は、印刷イメージ生成部２２が生成する印刷イメージと、その印刷イメー
ジに基づく印刷イメージ修正部６１の処理を説明するための図である。図１０（Ｂ）は、
縁なし印刷時に印刷イメージ修正部６１が最終的に生成する印刷イメージを示す図である
。
【００８７】
図１０（Ａ）の左縁２列分のドット列には、人の腕による左上がりの斜線パターンが含
まれている。この場合、印刷イメージ修正部６１は、抽出した左縁部のドットパターンに
、斜線パターンが含まれていると判断する。そして、印刷イメージ修正部６１は、その左
上がりの斜線を、その線分方向へ延長するパターンのイメージを生成し、供給された印刷
イメージの左縁に外挿する。
【００８８】
図１０（Ａ）の右縁部のドットパターンには、人の腕による右上がりの斜線が含まれて
いる。この場合、印刷イメージ修正部６１は、抽出した右縁部のドットパターンに、斜線
のパターンが含まれていると判断する。そして、印刷イメージ修正部６１は、その右上が
りの斜線を、その線分方向へ延長するパターンのイメージを生成し、供給された印刷イメ
ージの右縁に外挿する。
【００８９】
図１０（Ａ）の下縁部のドットパターンには、人の足による下向きの斜線が４本含まれ
ている。この場合、印刷イメージ修正部６１は、抽出した下縁部のドットパターンに、縦
線のパターンが含まれていると判断する。そして、印刷イメージ修正部６１は、その各縦
線を、それぞれの線分方向へ延長するパターンのイメージを生成し、供給された印刷イメ
ージの下縁に外挿する。
【００９０】
図１０（Ａ）の上縁部のドットパターンには、線分によるパターンが含まれていない。
この場合、印刷イメージ修正部６１は、抽出した上縁部のドットパターンに、線分のパタ
ーンが含まれていないと判断する。そして、印刷イメージ修正部６１は、線分が含まれて
いないパターンのイメージを生成し、供給された印刷イメージの上縁に外挿する。
【００９１】
これらの処理により、印刷イメージ修正部６１は、図１０（Ｂ）に示すように、提供さ
れた印刷イメージの周囲を、その周縁部の判定に基づいて生成したイメージで外挿し、修
正した印刷イメージを生成する。この印刷イメージ修正部６１により生成される印刷イメ
ージは、図９（Ｃ）に示すように、Ａ４の用紙のサイズより一回り大きい。
【００９２】
印刷イメージ修正部６１は、修正した印刷イメージを印刷制御データ生成部２４へ供給
する。
【００９３】
なお、縁ありで印刷の場合、印刷イメージ生成部２２が生成した印刷イメージは、直接
、印刷制御データ生成部２４へ供給される。印刷制御データ生成部２４へ供給される印刷
イメージのサイズは、用紙のサイズより一回り小さいものとなる。
【００９４】
印刷制御データ生成部２４は、供給された印刷イメージに基づいて、印刷制御データを
生成し、通信Ｉ／Ｆ３８へ供給する。通信Ｉ／Ｆ３８は、供給された印刷制御データを、
ケーブル３を介して、プリンタ２の通信Ｉ／Ｆ１１へ送信する。プリンタ２の通信Ｉ／Ｆ
１１は、受信した印刷制御データを通信バッファ１２に保存する。
【００９５】
プリンタ２の制御部１３および印刷機構部１４は、通信バッファ１２に保存されている
印刷制御データに基づいて、印刷を実行する。これにより、コンピュータ１の画像印刷部
２１が選択した画像が、縁なしで全面に印刷される。
【００９６】
以上のように、この実施の形態２によれば、印刷イメージ修正部６１は、印刷イメージ
生成部２２により生成された印刷イメージの周縁の複数のドット列と所定のパターンとを
比較し、その比較に応じた所定のパターンのイメージを生成し、その生成したイメージを
上記印刷イメージの周囲を外挿することで、簡単に、縁なし印刷に使用する、印刷する用
紙のサイズより大きい印刷イメージを生成することができる。
【００９７】
なお、この実施の形態２では、印刷イメージ生成部２２は、縁なし印刷の場合には、縁
あり印刷の場合と同じ、用紙のサイズより一回り小さいサイズの印刷イメージを生成して
いる。この他にもたとえば、印刷イメージ生成部２２は、用紙のサイズと同じサイズの印
刷イメージを生成するようにしてもよい。この変形例の場合、印刷イメージ修正部６１は
、この用紙のサイズの印刷イメージの周囲に、パターン判定に応じたイメージのドット列
を外挿し、縁なし印刷時の印刷範囲のサイズと同じサイズの印刷イメージを生成すればよ
い。
【００９８】
以上の各実施の形態は、本発明の好適な実施の形態の例であるが、本発明は、これに限
定されるものではなく、その要旨を逸脱しない範囲において種々の変形、変更が可能であ
る。
【００９９】
たとえば、上記実施の形態１では、印刷イメージ修正部２３は、印刷イメージ生成部２
２により生成された印刷イメージの周囲に、その印刷イメージの周縁部のドット列をコピ
ーするように外挿している。上記実施の形態２では、印刷イメージ生成部２２により生成
された印刷イメージの周囲に、その印刷イメージの周縁部のドットパターンに応じたパタ
ーンのイメージを外挿している。この他にもたとえば、印刷イメージ生成部２２は、これ
らの外挿処理の後に、その外挿した部分に対して、所謂ぼかし処理などの後処理をするよ
うにしてもよい。これにより、外挿した部分における印刷イメージの輪郭が目立たなくな
り、外挿した部分が印刷された場合の画像全体における違和感を更に抑えることができる
。
【０１００】
上記各実施の形態では、印刷イメージ生成部２２が生成した印刷イメージは、コンピュ
ータ１において印刷イメージ修正部２３，６１により、用紙のサイズより一回り大きいサ
イズの印刷イメージへ修正されている。この他にもたとえば、縁あり、縁なしに拘らず同
一サイズの印刷イメージに基づく印刷制御データをプリンタ２へ送信し、プリンタ２にお
いて縁なし印刷の場合には、受信した印刷制御データから、印刷用紙のサイズより大きい
印刷イメージに相当する印刷制御データを生成し、印刷を実行するようにしてもよい。
【０１０１】
なお、上述の実施の形態１，２におけるプリンタドライバ部２５と同一のものを、プリ
ンタ２内で画像ファイルから印刷制御データを生成するＰｉｃｔＢｒｉｄｇｅなどのダイ
レクト印刷用プリンタに内蔵させてもよい。他にもたとえば、プリンタ２と同一の筐体内
に、半導体メモリを読み取るカードリーダや画像を読み取るスキャナを設け、これらが読
み込んだ画像をプリンタ２で縁なし印刷するようにしてもよい。このようにプリンタ２と
同一筐体内に、カードリーダやスキャナを設けた印刷装置は、複合機と呼ばれる。
【０１０２】
なお、このようにプリンタ２において用紙のサイズより一回り大きいサイズの印刷イメ
ージへ修正することが可能な場合において、上述した各実施の形態に係るコンピュータ１
をそのプリンタ２に接続した場合、印刷イメージを縁なし印刷用のものへ修正する処理は
、コンピュータ１およびプリンタ２の双方において可能となる。この場合、コンピュータ
１は、プリンタ２に送信するデータが、その修正後の印刷イメージに基づくデータあるか
、あるいは、その修正前の印刷イメージに基づくデータあるかを通知するようにすればよ
い。プリンタ２は、この通知に応じて、必要な修正処理をし、印刷をすればよい。
【０１０３】
上記各実施の形態では、縁なし印刷において印刷制御データの生成に使用される印刷イ
メージのサイズは、所定のサイズに固定されている。この他にもたとえば、縁なし印刷に
おいて印刷制御データの生成に使用される縁なし印刷用の印刷イメージのサイズは、用紙
のサイズ以上の範囲において、任意のサイズに可変できるようにしてもよい。たとえば、
印刷イメージ生成部２２は、縁なし印刷の要否以外の印刷条件（たとえば普通紙や光沢紙
などの用紙の種類の条件など）に応じて、印刷イメージのサイズを変更したりしてもよい
。また、印刷イメージ修正部２３，６１が、修正処理により生成する印刷イメージのサイ
ズを、設定された印刷条件に応じて外挿するドット列の本数を変更したりするようにして
もよい。
【産業上の利用可能性】
【０１０４】
本発明は、縁なし印刷機能を有する印刷システムなどに利用することができる。
【図面の簡単な説明】
【０１０５】
【図１】実施の形態１に係る印刷システムを示すブロック図である。
【図２】コンピュータのハードウェア構成を示すブロック図である。
【図３】モニタに表示される印刷条件の設定画面の一例を示す図である。
【図４】用紙と、その２つの印刷範囲との関係を示す説明図である。
【図５】印刷される画像と、各種の印刷イメージとの対応関係を示す図である。
【図６】印刷イメージ修正部による印刷イメージ処理を説明するための図である。
【図７】縁なし印刷された用紙を示す図である。
【図８】実施の形態２に係る印刷システムを示すブロック図である。
【図９】印刷される画像と、各種の印刷イメージとの対応関係を示す図である。
【図１０】印刷イメージ修正部による印刷イメージ処理を説明するための図である。
【符号の説明】
【０１０６】
１  コンピュータ（印刷制御データ生成装置）、２  プリンタ、１３  制御部（印刷手
段の一部）、１４  印刷機構部（印刷手段の一部）、２２  印刷イメージ生成部（印刷イ
メージ生成手段）、２３，６１  印刷イメージ修正部（印刷イメージ修正手段）、２４  
印刷制御データ生成部（印刷制御データ生成手段）
【図１】
2006293977.tif 000003
【図２】
2006293977.tif 000004
【図３】
2006293977.tif 000005
【図４】
2006293977.tif 000006
【図５】
2006293977.tif 000007
【図６】
2006293977.tif 000008
【図７】
2006293977.tif 000009
【図８】
2006293977.tif 000010
【図９】
2006293977.tif 000011
【図１０】
2006293977.tif 000012